(57)【要約】【課題】  運転者の浅い眠気を高精度に検出することができる眠気検出装置を提供する。【解決手段】  眠気検出装置１は、生理指標計測器２により運転者の心拍または脈拍を計測して心拍特徴量を抽出し、心拍特徴量の標準偏差値を求め、その心拍特徴量の標準偏差値を心拍特徴量で補正する。このとき、ナビゲーション３の情報、周囲環境認識センサ４及び乗員検知センサ５の出力データに基づいて自車両の走行環境情報を取得し、自車両が市街地、カーブ路、走行経験の無い道路、交差点の何れかを走行するとき、自車両の周囲に移動体が存在するとき、自車両に同乗者が乗っており且つ運転者が体を動かしているときには、心拍特徴量の標準偏差値の補正を行わないようにする。そして、補正された心拍特徴量の標準偏差値を用いて、運転者に浅い眠気があるかどうかを判定する。【選択図】  図１
2010134533.tif 000002
【特許請求の範囲】
【請求項１】
車両の運転者の眠気を検出する眠気検出装置であって、
前記運転者から計測した心拍または脈拍から心拍特徴量を抽出し、前記心拍特徴量の標準偏差を求める標準偏差算出手段と、
前記車両の走行環境に応じて前記心拍特徴量の標準偏差を前記心拍特徴量で補正し、補正後の前記心拍特徴量の標準偏差の分布を用いて前記運転者の眠気度を判定する眠気度判定手段とを備えることを特徴とする眠気検出装置。
【請求項２】
前記眠気度判定手段は、前記車両が市街地、カーブ路、走行経験の無い道路、交差点の何れかを走行することが検知されたときは、前記心拍特徴量の標準偏差の補正を実行しないようにすることを特徴とする請求項１記載の眠気検出装置。
【請求項３】
前記眠気度判定手段は、前記車両の周囲に移動体が存在することが検知されたときは、前記心拍特徴量の標準偏差の補正を実行しないようにすることを特徴とする請求項１記載の眠気検出装置。
【請求項４】
前記眠気度判定手段は、前記車両に同乗者が乗っており且つ前記運転者が体を動かしていることが検知されたときは、前記心拍特徴量の標準偏差の補正を実行しないようにすることを特徴とする請求項１記載の眠気検出装置。
【請求項５】
注意意識が活性化しやすい走行環境で取得される心拍特徴量を除外して得られた心拍特徴量により心拍特徴量の標準偏差を補正することを特徴とする眠気検出装置。
【発明の詳細な説明】
【技術分野】
【０００１】
本発明は、車両の運転者の眠気を検出する眠気検出装置に関するものである。
【背景技術】
【０００２】
従来の眠気検出装置としては、例えば特許文献１に記載されているものが知られている。特許文献１に記載の眠気検出装置は、運転者の眠気を判断するための体調を表す指標（心拍等）を計測し、この指標から運転者の眠気に応じて変化する特徴量を抽出し、この特徴量を閾値と比較することで、運転者が居眠り状態にあるかどうかを判定するというものである。心拍から特徴量を抽出する場合には、心拍周期の時系列データに対してフーリエ変換を施して振幅パワースペクトルを生成し、この振幅パワースペクトルに対して積分処理を施して心拍ゆらぎの時系列データを取得し、この心拍ゆらぎの時系列データに対して微分処理を施し、心拍ゆらぎの微分値の平均値及び標準偏差から閾値を算出し、心拍ゆらぎの微分値が当該閾値を越えたものを特徴量として抽出する。
【特許文献１】特開２００８−３５９６４号公報
【発明の開示】
【発明が解決しようとする課題】
【０００３】
しかしながら、上記従来技術においては、車両の運転中に運転者がごく浅い眠気を我慢しているときは、運転者が眠気状態にあることを正確に判定することができない可能性がある。
【０００４】
本発明の目的は、運転者の浅い眠気を高精度に検出することができる眠気検出装置を提供することである。
【課題を解決するための手段】
【０００５】
本発明は、車両の運転者の眠気を検出する眠気検出装置であって、運転者から計測した心拍または脈拍から心拍特徴量を抽出し、心拍特徴量の標準偏差を求める標準偏差算出手段と、車両の走行環境に応じて心拍特徴量の標準偏差を心拍特徴量で補正し、補正後の心拍特徴量の標準偏差の分布を用いて運転者の眠気度を判定する眠気度判定手段とを備えることを特徴とするものである。
【０００６】
浅い眠気を検出するには、眠気発生と関連する自律神経活動の影響を受ける心拍数や心拍ゆらぎ等の心拍特徴量に着目することが有効である。特に心拍特徴量の標準偏差は、浅い眠気との相関があると考えられる。従って、本発明の眠気検出装置においては、運転者の心拍または脈拍を計測し、その心拍または脈拍から心拍特徴量を抽出し、心拍特徴量の標準偏差を求め、心拍特徴量の標準偏差の分布を用いて運転者の眠気度を判定する。
【０００７】
ここで、心拍特徴量は運転者毎に異なるため、心拍特徴量の標準偏差も運転者毎に異なってくる。このため、眠気検出結果が運転者によって異なる場合がある。従って、心拍特徴量の標準偏差を心拍特徴量で補正することにより、運転者毎の心拍特徴量の違いによる眠気度の判定誤差を排除する。このとき、眠気に伴う心拍特徴量の変化は、比較的長い時間継続して起こる。また、車両の走行環境が変化しても心拍特徴量が変化し、その走行環境の変化に伴う心拍特徴量の変化は瞬間的に起こる。このため、走行環境の変化に伴う心拍特徴量の変化は、心拍特徴量の標準偏差の補正を実施する際にノイズ（眠気誤検出）の要因となり得る。
【０００８】
そこで本発明では、車両の走行環境に応じて心拍特徴量の標準偏差を心拍特徴量で補正する。具体的には、車両の走行環境の変化に伴う瞬間的な心拍特徴量の変化をノイズとして除去し、運転者の体内の状態変化に起因して心拍特徴量が変化した場合にのみ、心拍特徴量の標準偏差を心拍特徴量で補正する。これにより、運転者の浅い眠気を高精度に検出することができる。
【０００９】
好ましくは、眠気度判定手段は、車両が市街地、カーブ路、走行経験の無い道路、交差点の何れかを走行することが検知されたときは、心拍特徴量の標準偏差の補正を実行しないようにする。車両が市街地、カーブ路、走行経験の無い道路、交差点を走行するときは、瞬間的な心拍特徴量の変化が発生しやすくなる。従って、そのような場合には、心拍特徴量の標準偏差の補正を実行しないようにすることで、運転者の浅い眠気を確実に高精度に検出することができる。
【００１０】
また、眠気度判定手段は、車両の周囲に移動体が存在することが検知されたときは、心拍特徴量の標準偏差の補正を実行しないようにしても良い。車両の周囲に他車両や歩行者等の移動体が存在するときは、瞬間的な心拍特徴量の変化が発生しやすくなる。従って、そのような場合には、心拍特徴量の標準偏差の補正を実行しないようにすることで、運転者の浅い眠気を確実に高精度に検出することができる。
【００１１】
また、眠気度判定手段は、車両に同乗者が乗っており且つ運転者が体を動かしていることが検知されたときは、心拍特徴量の標準偏差の補正を実行しないようにしても良い。車両に同乗者が乗っており且つ運転者が体を動かしているときは、瞬間的な心拍特徴量の変化が発生しやすくなる。従って、そのような場合には、心拍特徴量の標準偏差の補正を実行しないようにすることで、運転者の浅い眠気を確実に高精度に検出することができる。
【００１２】
また、本発明の眠気検出装置は、注意意識が活性化しやすい走行環境で取得される心拍特徴量を除外して得られた心拍特徴量により心拍特徴量の標準偏差を補正することを特徴とするものである。
【発明の効果】
【００１３】
本発明によれば、運転者の浅い眠気を高精度に検出することができる。これにより、運転者が運転中に浅い眠気を催している場合に、その時点で例えば正常な意識回復または休息を促すことが可能となる。
【発明を実施するための最良の形態】
【００１４】
以下、本発明に係わる眠気検出装置の好適な実施形態について、図面を参照して詳細に説明する。
【００１５】
図１は、本発明に係わる眠気検出装置の一実施形態の概略構成を示すブロック図である。同図において、本実施形態の眠気検出装置１は、車両に搭載され、車両の運転者の眠気を検出する装置である。眠気検出装置１は、生理指標計測器２と、ナビゲーション３と、周囲環境認識センサ４と、乗員検知センサ５と、眠気検出ＥＣＵ（Electronic Control Unit）６と、警報器７とを備えている。
【００１６】
生理指標計測器２は、運転者の生理指標を計測する機器である。具体的には、生理指標計測器２としては、例えば心拍を計測する心電図計、指先や前腕等から脈拍を計測する脈波計等が挙げられる。
【００１７】
ナビゲーション３は、ＧＰＳ（全地球測位システム）を利用して自車両の現在位置を検出したり、内蔵メモリに記憶された道路地図情報から自車両が走行している道路情報等を取得する機器である。
【００１８】
周囲環境認識センサ４は、自車両の周囲に他車両、歩行者、自転車等の移動体が存在しているかどうかを認識するセンサである。周囲環境認識センサ４としては、カメラ等の画像センサ、レーダセンサ、超音波センサや、他車両との間で無線通信を行って他車両情報を受信する車車間通信機等が用いられる。
【００１９】
乗員検知センサ５は、同乗者が乗っているかどうか、運転者が体を動かしているかどうかを検知するセンサである。乗員検知センサ５としては、カメラ等の画像センサ、ナビゲーション３等の操作状態を検出する接触センサ等が用いられる。
【００２０】
眠気検出ＥＣＵ６は、ＣＰＵ、ＲＯＭやＲＡＭ等のメモリ、入出力回路等により構成されている。眠気検出ＥＣＵ６は、生理指標計測器２の出力データ（計測データ）、ナビゲーション３の情報、周囲環境認識センサ４及び乗員検知センサ５の出力データを入力し、所定の処理を行い、運転者が弱い眠気状態にあるかどうかを判定する。
【００２１】
警報器７は、音（ブザー音）、画像（画面表示）及び振動（バイブレータ）等により警報を行い、眠気の発生を運転者に知らせる機器である。
【００２２】
図２は、眠気検出ＥＣＵ６により実行される眠気検出処理手順の詳細を示すフローチャートである。ここでは、生理指標計測器２として心電図計により運転者の心拍を計測する場合を例にとって説明する。
【００２３】
同図において、まず生理指標計測器２の計測データ（心拍生データ）を取得し（手順Ｓ１１）、その計測データの前処理を行う（手順Ｓ１２）。具体的には、まず心拍生データのノイズを除去すべく、心拍生データに対してバンドパスフィルタ（ＢＰＦ）処理を施し、所定の通過帯域（例えば０．１Ｈｚ〜３０Ｈｚ）の成分を取り出す。
【００２４】
続いて、図３に示すように、ＢＰＦ処理が施された心拍データの波形を予め設定された閾値と比較することで２値化する。このとき、心拍データの波形のうち各Ｒ波部分が最大値となるタイミングで「１」となるように２値化を行う（図３中の拡大図参照）。
【００２５】
続いて、図４（Ａ）に示すように、２値化データにおいて「１」となる各タイミングの区間幅（時間間隔）ｔを求め、各区間幅ｔを縦軸としたグラフを生成する。このとき、区間幅ｔが運転者の心拍周期に相当する。
【００２６】
続いて、図４（Ｂ）に示すように、上記心拍周期のグラフを補間して心拍周期の曲線（破線参照）を求め、心拍周期の時系列データを得る。そして、図５に示すように、心拍周期の時系列データの縦軸単位を例えば１分当たりの心拍数に変換する。これにより、運転者の心拍数値が心拍特徴量の１つとして得られることとなる。
【００２７】
次いで、運転者の他の心拍特徴量として心拍ゆらぎの抽出を行う（手順Ｓ１３）。具体的には、心拍周期の時系列データ（図５参照）について、図６に示すように、基準時間Ｔ（任意のタイムスタンプ）前の解析単位区間幅Ｔtermに対して高速フーリエ変換（ＦＦＴ）を施し、周波数成分に対するパワー（振幅）スペクトルを得る。
【００２８】
続いて、図７に示すように、高速フーリエ変換によって解析単位区間幅Ｔterm毎に得られたパワースペクトルに対して、２つの周波数帯帯域（低周波成分及び高周波成分）を設定する。これらの周波数帯帯域は、心拍のゆらぎ（変化）が現れやすい帯域とする。そして、各周波数帯帯域毎に振幅スペクトルを積分する。
【００２９】
上記の高速フーリエ変換処理、周波数帯帯域の設定処理及び積分処理を繰り返し行うことにより、図８に示すように、各周波数帯帯域毎の振幅スペクトルパワーの時系列データが得られる。この振幅スペクトルパワーの時系列データが心拍ゆらぎの時系列データである。これにより、交感神経の動きを表す心拍ゆらぎ低周波成分値と、副交感神経の動きを表す心拍ゆらぎ高周波成分値とが得られる。また、心拍ゆらぎ低周波成分値を心拍ゆらぎ高周波成分値で除することで、心拍ゆらぎ低周波成分値と心拍ゆらぎ高周波成分値との比（心拍ゆらぎ比値）が得られる。
【００３０】
次いで、心拍特徴量の標準偏差を得るために参照する心拍特徴量の参照区間幅（参照時間幅）を設定する（手順Ｓ１４）。参照区間幅の設定は、心拍数値、心拍ゆらぎ低周波成分値、心拍ゆらぎ高周波成分値及び心拍ゆらぎ比値について各々行う。参照区間幅の設定の具体的手法を、心拍数値について行う場合を例にとって以下に説明する。
【００３１】
即ち、まず図９（Ａ）に示すように、心拍数値の時系列データ（図５参照）を任意の長さ（数分程度）ｍ毎に分けて、参照時間幅決め用データ格納バッファに格納する。
【００３２】
そして、データ格納バッファに格納された心拍数値に対して高速フーリエ変換（ＦＦＴ）演算を行うことで、図９（Ｂ）に示すような周波数解析結果を得る。ここで、Ｆは周波数範囲であり、ｆmaxは周波数範囲Ｆの最大値であり、ｆminは周波数範囲Ｆの最小値であり、Ａは周波数範囲Ｆ内における心拍数値の振幅スペクトルパワーの最大値であり、ｆpeakは、振幅スペクトルパワーの最大値Ａとなる周波数である。周波数範囲Ｆは、個人毎の眠気に対応するものとして統計分析により得られた範囲であり、周波数ｆpeakは、心拍数値の中で特に眠気の変化が出やすい周波数である。
【００３３】
続いて、そのような周波数ｆpeakを用いた下記計算式から、心拍数値の参照区間幅を求める。
心拍数値の参照区間幅＝１／ｆpeak
【００３４】
このように周波数範囲Ｆ内のピーク値周波数ｆpeakを眠気が顕著に表れる箇所として抽出することにより、データノイズの影響を除去して眠気状態を判定する（後述）ことが可能となる。
【００３５】
次いで、心拍数値、心拍ゆらぎ低周波成分値、心拍ゆらぎ高周波成分値及び心拍ゆらぎ比値をそれぞれ参照区間幅（データ総数：Ｎ個）で切り出し、この区間での平均値を計算する（手順Ｓ１５）。
切り出された心拍数値＝｛Ｘ１，Ｘ２，Ｘ３，…ＸＮ｝
切り出された心拍ゆらぎ低周波成分値＝｛Ｙ１，Ｙ２，Ｙ３，…ＹＮ｝
切り出された心拍ゆらぎ高周波成分値＝｛Ｚ１，Ｚ２，Ｚ３，…ＺＮ｝
切り出された心拍ゆらぎ比値＝｛Ｗ１，Ｗ２，Ｗ３，…ＷＮ｝
【００３６】
次いで、上記と同様に心拍数値、心拍ゆらぎ低周波成分値、心拍ゆらぎ高周波成分値及び心拍ゆらぎ比値をそれぞれ参照区間幅で切り出し、この区間での標準偏差値を計算する（手順Ｓ１６）。
【００３７】
心拍数値の標準偏差の計算式は、以下の通りである。
【数１】
2010134533.tif 000003
Ｎ：切り出された心拍数値データの総数
ｉ：心拍数値の番号
Ｘｉ：ｉ番目の心拍数値
Ｘave：心拍数値Ｎ個の平均値
【００３８】
心拍ゆらぎ低周波成分値の標準偏差の計算式は、以下の通りである。
【数２】
2010134533.tif 000004
Ｎ：切り出された心拍ゆらぎ低周波成分値データの総数
ｉ：心拍ゆらぎ低周波成分値の番号
Ｙｉ：ｉ番目の心拍ゆらぎ低周波成分値
Ｙave：心拍ゆらぎ低周波成分値Ｎ個の平均値
【００３９】
心拍ゆらぎ高周波成分値の標準偏差の計算式は、以下の通りである。
【数３】
2010134533.tif 000005
Ｎ：切り出された心拍ゆらぎ高周波成分値データの総数
ｉ：心拍ゆらぎ高周波成分値の番号
Ｚｉ：ｉ番目の心拍ゆらぎ高周波成分値
Ｚave：心拍ゆらぎ高周波成分値Ｎ個の平均値
【００４０】
心拍ゆらぎ比値の標準偏差の計算式は、以下の通りである。
【数４】
2010134533.tif 000006
Ｎ：切り出された心拍ゆらぎ比値データの総数
ｉ：心拍ゆらぎ比値の番号
Ｗｉ：ｉ番目の心拍ゆらぎ比値
Ｗave：心拍ゆらぎ比値Ｎ個の平均値
【００４１】
次いで、心拍数値、心拍ゆらぎ低周波成分値、心拍ゆらぎ高周波成分値及び心拍ゆらぎ比値の標準偏差値を補正する（手順Ｓ１７）。この手順Ｓ１７の処理を実行する機能ブロックを図１０に示す。
【００４２】
図１０において、心拍数値、心拍ゆらぎ低周波成分値、心拍ゆらぎ高周波成分値及び心拍ゆらぎ比値の標準偏差値の補正を行うための機能としては、補正対象標準偏差値格納バッファ１１、環境情報取得部１２、環境条件データベース１３、補正実施判断部１４及び標準偏差補正計算部１５がある。
【００４３】
補正対象標準偏差値格納バッファ１１は、補正対象となる心拍特徴量標準偏差値と、補正に使う瞬時値（現在時刻の心拍特徴量値）とを格納する。心拍特徴量標準偏差値は、手順Ｓ１６で得られた心拍数標準偏差値、心拍ゆらぎ低周波成分標準偏差値、心拍ゆらぎ高周波成分標準偏差値、心拍ゆらぎ比標準偏差値である。補正に使う瞬時値は、現在時刻の心拍数値、心拍ゆらぎ低周波成分値、心拍ゆらぎ高周波成分値、心拍ゆらぎ比値である。
【００４４】
環境情報取得部１２は、ナビゲーション３の情報、周囲環境認識センサ４及び乗員検知センサ５の出力データに基づいて、自車両の走行環境情報を取得する。自車両の走行環境情報としては、自車両が走行する道路の情報、自車両の周囲環境の情報、運転者を含む乗員の情報が挙げられる。自車両が走行する道路の情報は、ナビゲーション３より取得され、自車両の周囲環境の情報は、周囲環境認識センサ４の出力データに基づいて取得され、乗員の情報は、乗員検知センサ５の出力データに基づいて取得される。
【００４５】
環境条件データベース１３には、心拍特徴量標準偏差値の補正を行わない環境条件が記憶保持されている。心拍特徴量標準偏差値の補正を行わない環境条件とは、自車両が市街地、カーブ路、運転者が走行した経験の無い道路、交差点の何れかを走行するという条件、自車両の周囲に他車両、歩行者、自転車等の移動体が存在するという条件、自車両に同乗者が乗っており且つ運転者が何らかの目的をもって体を動かしているという条件など、注意意識が活性化しやすい環境のことである。
【００４６】
補正実施判断部１４は、環境情報取得部１２で取得された自車両の走行環境情報と環境条件データベース１３に記憶された環境条件とを比較し、自車両の走行環境情報が環境条件データベース１３に記憶された環境条件と一致するときは、心拍特徴量標準偏差値の補正処理を行わないものとする。つまり、自車両が市街地、カーブ路、運転者が走行した経験の無い道路、交差点の何れかを走行するとき、自車両の周囲に移動体が存在するとき、自車両に同乗者が乗っており且つ運転者が体を動かしているときは、心拍特徴量標準偏差値の補正処理を行わないこととする。一方、自車両の走行環境情報が環境条件データベース１３に記憶された環境条件と一致しないときは、心拍特徴量標準偏差値の補正処理を行うものとする。
【００４７】
標準偏差補正計算部１５は、補正実施判断部１４で心拍特徴量標準偏差値の補正を行うと判断されたときに、下記計算式を用いて、心拍数標準偏差値、心拍ゆらぎ低周波成分標準偏差値、心拍ゆらぎ高周波成分標準偏差値及び心拍ゆらぎ比標準偏差値を補正して、心拍数標準偏差補正値、心拍ゆらぎ低周波成分標準偏差補正値、心拍ゆらぎ高周波成分標準偏差補正値及び心拍ゆらぎ比標準偏差補正値を得る。
【数５】
2010134533.tif 000007
【００４８】
ここで、補正対象標準偏差値格納バッファ１１に格納された時刻毎の心拍数標準偏差値及び心拍数値の一例を図１１（Ａ）に示す。この場合、上記式により算出された心拍数標準偏差補正値は、図１１（Ｂ）に示す通りとなる。
【００４９】
図２に戻り、上述したような手順Ｓ１７を実行した後、心拍数標準偏差補正値、心拍ゆらぎ低周波成分標準偏差補正値、心拍ゆらぎ高周波成分標準偏差補正値及び心拍ゆらぎ比標準偏差補正値を用いて、運転者に浅い眠気があるかどうかを判定する（手順Ｓ１８）。
【００５０】
心拍ゆらぎ低周波成分標準偏差補正値により眠気を判定する方法の一例を図１２に示す。同図に示す方法では、心拍ゆらぎ低周波成分標準偏差補正値を予め設定された浅い眠気用検出閾値と比較し、心拍ゆらぎ低周波成分標準偏差補正値が浅い眠気用検出閾値よりも高いときは、浅い眠気がある状態であると判定され、心拍ゆらぎ低周波成分標準偏差補正値が浅い眠気用検出閾値よりも低いときは、眠気がない状態であると判定される。
【００５１】
なお、心拍数標準偏差補正値、心拍ゆらぎ高周波成分標準偏差補正値及び心拍ゆらぎ比標準偏差補正値を用いる場合についても、同様にして浅い眠気の有無を判定することができる。
【００５２】
手順Ｓ１８において上記の手法により眠気がないと判定されたときは、手順Ｓ１１に戻り、手順Ｓ１１〜Ｓ１８の処理を繰り返し実行する。一方、手順Ｓ１８において浅い眠気があると判定されたときは、警報器７を制御して眠気の発生を運転者に知らせ（手順Ｓ１９）、その後で手順Ｓ１１に戻る。
【００５３】
以上において、生理指標計測器２は、運転者の心拍または脈拍を計測する計測手段を構成する。眠気検出ＥＣＵ６における上記手順Ｓ１１〜Ｓ１３は、運転者の心拍または脈拍から心拍特徴量を抽出する心拍特徴量抽出手段を構成する。同手順Ｓ１４〜Ｓ１６は、心拍特徴量の標準偏差を求める標準偏差算出手段を構成する。ナビゲーション３、周囲環境認識センサ４及び乗員検知センサ５と眠気検出ＥＣＵ６における上記手順Ｓ１７の環境情報取得部１２とは、車両の走行環境を検知する走行環境検知手段を構成する。眠気検出ＥＣＵ６における上記手順Ｓ１７の補正対象標準偏差値格納バッファ１１、環境条件データベース１３、補正実施判断部１４及び標準偏差補正計算部１５は、車両の走行環境に応じて心拍特徴量の標準偏差を心拍特徴量で補正する補正手段を構成する。同手順Ｓ１８は、補正手段により得られた補正後の心拍特徴量の標準偏差の分布を用いて運転者の眠気度を判定する眠気度判定手段を構成する。
【００５４】
以上のように本実施形態にあっては、眠気発生と関連する自律神経活動の影響を受ける心拍に着目し、運転者の心拍または脈拍を計測して心拍数及び心拍ゆらぎを抽出し、これらの心拍数及び心拍ゆらぎの標準偏差値を求め、この標準偏差値を用いて運転者の眠気判定を行う。このとき、運転者の眠気度を、眠気に耐えて覚醒状態へ戻そうとする浅い眠気を催しながら運転する時の生理状態の指標として判定することができる。
【００５５】
ところで、心拍数値や心拍数標準偏差値には個人差があるため、心拍数標準偏差値をそのまま眠気判定に使用すると、その判定結果が運転者により異なる場合があるが、心拍数標準偏差値を運転者毎に補正することにより、運転者毎の心拍数値の変動が眠気判定結果に与える影響が排除されるようになる。心拍ゆらぎ低周波成分値、心拍ゆらぎ高周波成分値及び心拍ゆらぎ比値についても、同様のことが言える。
【００５６】
このとき、心拍数等の心拍特徴量が変動する要因としては、眠気に影響を与える運転者の体内状態によるものと、車両の走行環境の変化によるものとがある。眠気に伴う心拍特徴量の変化は、体内で数分〜数時間程度継続するが、車両の走行環境の変化が原因で起こる心拍特徴量の変化は、数秒〜数十秒程度と瞬間的なものである。具体的には、自車両が市街地、カーブ路、走行経験の無い道路、交差点を走行する場合や、自車両の周囲に移動体が存在する場合等には、運転者の心拍数等が急激に上昇することがある。このため、車両の走行環境の変化が原因で起こる心拍特徴量の変化は、心拍特徴量の標準偏差値を補正する際のノイズ（眠気誤検出）の要因となる。従って、心拍特徴量が変動する要因が運転者の体内状態による場合に限り、心拍特徴量の標準偏差値の補正を行う必要がある。
【００５７】
本実施形態では、ナビゲーション３の情報、周囲環境認識センサ４及び乗員検知センサ５の出力データに基づいて自車両の走行環境情報を取得し、自車両が市街地、カーブ路、走行経験の無い道路、交差点の何れかを走行すると判断されたとき、自車両の周囲に移動体が存在すると判断されたとき、自車両に同乗者が乗っており且つ運転者が体を動かしていると判断されたときには、心拍特徴量の標準偏差値の補正を行わないようにする。これにより、運転者の浅い眠気を高精度に且つ運転者に因らずに検出することができる。従って、浅い眠気がある時点で、運転者に対して正常な意識回復または休息を促すことで、居眠り運転を効果的に防止することが可能となる。
【００５８】
なお、本発明は、上記実施形態に限定されるものではない。例えば上記実施形態では、心拍数値、心拍ゆらぎ低周波成分値、心拍ゆらぎ高周波成分値及び心拍ゆらぎ比値という４つの心拍特徴量を用いて運転者の眠気判定を行うものとしたが、これら４つの心拍特徴量のうち少なくとも１つを用いれば良い。
【図面の簡単な説明】
【００５９】
【図１】本発明に係わる眠気検出装置の一実施形態の概略構成を示すブロック図である。
【図２】図１に示した眠気検出ＥＣＵにより実行される眠気検出処理手順の詳細を示すフローチャートである。
【図３】図１に示した生理指標計測器の出力波形及び２値化波形の一例を示す波形図である。
【図４】２値化波形の区間幅及び周期時系列の一例を示す波形図である。
【図５】心拍数の周期時系列の一例を示す波形図である。
【図６】心拍数の周期時系列に対してＦＦＴ処理して得られた波形の一例を示す波形図である。
【図７】ＦＦＴ処理して得られた波形に対して２つの周波数帯帯域を設定した状態を示す波形図である。
【図８】心拍ゆらぎの周期時系列の一例を示す波形図である。
【図９】心拍特徴量の参照区間幅を設定する手法を示す波形図である。
【図１０】図２に示した標準偏差値補正処理を実行する機能ブロックを示す図である。
【図１１】心拍数標準偏差値及び心拍数値と心拍数標準偏差補正値との一例を示す表である。
【図１２】心拍ゆらぎ低周波成分標準偏差補正値により眠気を判定する方法の一例を示す波形図である。
【符号の説明】
【００６０】
１…眠気検出装置、２…生理指標計測器（計測手段）、３…ナビゲーション（走行環境検知手段）、４…周囲環境認識センサ（走行環境検知手段）、５…乗員検知センサ（走行環境検知手段）、６…眠気検出ＥＣＵ（心拍特徴量抽出手段、標準偏差算出手段、補正手段、眠気度判定手段）、１１…補正対象標準偏差値格納バッファ（補正手段）、１２…環境情報取得部（走行環境検知手段）、１３…環境条件データベース（補正手段）、１４…補正実施判断部（補正手段）、１５…標準偏差補正計算部（補正手段）。
【図１】
2010134533.tif 000008
【図２】
2010134533.tif 000009
【図３】
2010134533.tif 000010
【図４】
2010134533.tif 000011
【図５】
2010134533.tif 000012
【図６】
2010134533.tif 000013
【図７】
2010134533.tif 000014
【図８】
2010134533.tif 000015
【図９】
2010134533.tif 000016
【図１０】
2010134533.tif 000017
【図１１】
2010134533.tif 000018
【図１２】
2010134533.tif 000019
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
車両の運転者の眠気を検出する眠気検出装置であって、
前記運転者から計測した心拍または脈拍から心拍特徴量を抽出し、前記心拍特徴量の標準偏差を求める標準偏差算出手段と、
前記車両の走行環境に応じて前記心拍特徴量の標準偏差を前記心拍特徴量の瞬時値で補正し、補正後の前記心拍特徴量の標準偏差の分布を用いて前記運転者の眠気度を判定する眠気度判定手段とを備えることを特徴とする眠気検出装置。
【請求項２】
前記眠気度判定手段は、前記車両が市街地、カーブ路、走行経験の無い道路、交差点の何れかを走行することが検知されたときは、前記心拍特徴量の標準偏差の補正を実行しないようにすることを特徴とする請求項１記載の眠気検出装置。
【請求項３】
前記眠気度判定手段は、前記車両の周囲に移動体が存在することが検知されたときは、前記心拍特徴量の標準偏差の補正を実行しないようにすることを特徴とする請求項１記載の眠気検出装置。
【請求項４】
前記眠気度判定手段は、前記車両に同乗者が乗っており且つ前記運転者が体を動かしていることが検知されたときは、前記心拍特徴量の標準偏差の補正を実行しないようにすることを特徴とする請求項１記載の眠気検出装置。
【手続補正２】
【補正対象書類名】明細書
【補正対象項目名】０００５
【補正方法】変更
【補正の内容】
【０００５】
本発明は、車両の運転者の眠気を検出する眠気検出装置であって、運転者から計測した心拍または脈拍から心拍特徴量を抽出し、心拍特徴量の標準偏差を求める標準偏差算出手段と、車両の走行環境に応じて心拍特徴量の標準偏差を心拍特徴量の瞬時値で補正し、補正後の心拍特徴量の標準偏差の分布を用いて運転者の眠気度を判定する眠気度判定手段とを備えることを特徴とするものである。
【手続補正３】
【補正対象書類名】明細書
【補正対象項目名】００１２
【補正方法】削除
【補正の内容】